(57)【要約】【課題】顧客から預かった硬貨を確認して硬貨収納部に収納する一連の作業についての作業性を向上させる。【解決手段】マネーケース１０５は、上面開口の紙幣収納部１５１と、紙幣収納部１５１よりも手前側位置に設けられた上面開口の硬貨収納部１０９とを備える。紙幣収納部１５１の上面開口部分における奥側には、コインテスタ２１１，２２１を収納するコインテスタ収納部２０１が設けられている。コインテスタ２１１，２２１は、硬貨収納部１０９の全幅に亘る幅長を有し、また、コインテスタ収納部２０１の開口部２０２から引き出されて硬貨収納部１０９まで延出する。【選択図】図２
2010039762.tif 000002
【特許請求の範囲】
【請求項１】
上面開口の紙幣収納部と、
前記紙幣収納部よりも手前側位置に設けられた上面開口の硬貨収納部と、
前記紙幣収納部の上面開口部分における奥側位置に設けられ、手前側に開口部を有する薄型のコインテスタ収納部と、
前記コインテスタ収納部に前記開口部から手前側方向に引出自在に収納されて前記硬貨収納部の全幅に亘る幅長を有し、前記コインテスタ収納部から引き出されて前記硬貨収納部まで延出するコインテスタと、
を備えるマネーケース。
【請求項２】
前記コインテスタ収納部から引き出されて前記硬貨収納部まで延出した前記コインテスタを解除自在に位置保持するロック機構を備える、
請求項１記載のマネーケース。
【請求項３】
前記コインテスタ収納部は、
前記コインテスタを手前側の先端を当該コインテスタ収納部から突出させて収納する、
請求項１又は２記載のマネーケース。
【請求項４】
前記コインテスタにおける前記コインテスタ収納部に収納された状態で当該コインテスタ収納部から突出する部分の上面には、凹状の窪みが設けられている、
請求項３記載のマネーケース。
【請求項５】
前記コインテスタにおける前記コインテスタ収納部に収納された状態で当該コインテスタ収納部から突出する部分には、前記コインテスタを貫通する孔が設けられている、
請求項３記載のマネーケース。
【請求項６】
ドロワ筐体と、
前記ドロワ筐体に対して引出し自在に収納される引出しと、
前記引出しに着脱自在に取り付けられる請求項１ないし５のいずれか一記載のマネーケースと、
を備えるドロワ。
【発明の詳細な説明】
【技術分野】
【０００１】
本発明は、ドロワの引出しに取り付けられて硬貨及び紙幣を収納するマネーケース及びドロワに関する。
【背景技術】
【０００２】
従来、ドロワと共に使用されるＥＣＲ（Ｅｌｅｃｔｒｏｎｉｃ  Ｃａｓｈ  Ｒｅｇｉｓｔｅｒ）の上面には、取引中に顧客から預かった硬貨を載置するためのコインテスタが設けられている（特許文献１，２参照）。ＥＣＲを使用するキャッシャは、顧客から硬貨を預かると、まずコインテスタにその硬貨を載置させて金種や枚数等を確認する。そして、確認後、ドロワの引出しに取り付けられたマネーケースの硬貨収納部へと収納する。
【０００３】
【特許文献１】特開平１０−１２４７４９号公報
【特許文献２】特開平１０−２８９３７７号公報
【発明の開示】
【発明が解決しようとする課題】
【０００４】
しかし、ＥＣＲが有する従来のコインテスタは、ＥＣＲ上面の限られたスペースに設けられているため、その載置面は非常に狭いものとなっている。そのため、硬貨は重なった状態でコインテスタに載置され易く、金種や枚数を素早く確認することは非常に困難である。その結果、硬貨の確認作業に時間を取られてしまい、取引中の顧客を待たせて不満を与えてしまう。
【０００５】
また、ドロワ筐体から引き出された引出しの手前側に位置する硬貨収納部からＥＣＲ上面のコインテスタまでは相当の距離がある。そのため、キャッシャはコインテスタに載置させた硬貨を手に取り、誤って紙幣収納部等に落下させないように注意を払って、正しい金種の硬貨収納部に収納させなければならない。
【０００６】
このように、ＥＣＲが有する従来のコインテスタを使用する場合、顧客から預かった硬貨を確認して硬貨収納部に収納する一連の作業についての作業性は非常に悪いものである。
【０００７】
なお、特許文献１に記載されたコインテスタ（特許文献１中では硬貨置台）は、一部の硬貨収納部にのみ到達するものであるため、硬貨を硬貨収納部に収納する際の作業性の向上は全く望むことはできない。さらに、ドロワ筐体に別途設けられた開口部から引き出されるものであるため、特許文献１に記載された技術を採用する場合にはドロワが大型化してしまう弊害が生ずると考えられる。また、特許文献２に記載されたコインテスタ（特許文献２中では硬貨置台）は、引出しの高さよりも短い奥行きしか有さないため、充分な載置面を備えているとはいえず作業性の向上を望むことはできない。
【０００８】
本発明の目的は、顧客から預かった硬貨を確認して硬貨収納部に収納する一連の作業についての作業性を向上させることである。
【課題を解決するための手段】
【０００９】
本発明のマネーケースは、上面開口の紙幣収納部と、前記紙幣収納部よりも手前側位置に設けられた上面開口の硬貨収納部と、前記紙幣収納部の上面開口部分における奥側位置に設けられ、手前側に開口部を有する薄型のコインテスタ収納部と、前記コインテスタ収納部に前記開口部から手前側方向に引出自在に収納されて前記硬貨収納部の全幅に亘る幅長を有し、前記コインテスタ収納部から引き出されて前記硬貨収納部まで延出するコインテスタと、を備える。
【００１０】
本発明のドロワは、ドロワ筐体と、前記ドロワ筐体に対して引出し自在に収納される引出しと、前記引出しに着脱自在に取り付けられる上記マネーケースと、を備える。
【発明の効果】
【００１１】
本発明によれば、コインテスタは硬貨収納部の全幅に亘る幅長を有して硬貨収納部まで延出するため、コインテスタには充分な載置面が確保される。また、載置面に載置させた硬貨を手に取り硬貨収納部に収納することを要さない。これにより、顧客から預かった硬貨を確認して硬貨収納部に収納する一連の作業についての作業性を向上させることができる。
【発明を実施するための最良の形態】
【００１２】
本発明の実施の形態について図１ないし図６に基づいて説明する。
【００１３】
図１は、ドロワ１０１をＥＣＲ３０１と共に示す斜視図である。ＥＣＲ３０１は、ドロワ１０１の上面に載置されている。ドロワ１０１は、手前側（図１中左下側）に開口部１０３を有する薄型偏平なドロワ筐体１０２を備えている。ドロワ筐体１０２には、開口部１０３から引出自在な引出し１０４が収納される。以下、ドロワ筐体１０２に対して引出し１０４が引き出される方向を、引出方向と呼ぶ。
【００１４】
図２は、引出し１０４を示す分解斜視図である。引出し１０４は、上面開口のマネーケース１０５を着脱自在に備えている。マネーケース１０５の手前側（図２中左下側）には、コインケース１０８が着脱自在に設けられている。コインケース１０８は、所定深さを有する凹部である硬貨収納部１０９を備える。硬貨収納部１０９は、硬貨を凹部の底面に支持させて収納する。コインケース１０８には複数個の硬貨収納部１０９が設けられているため、硬貨収納部１０９には硬貨を金種別に収納することができる。コインケース１０８をマネーケース１０５から取り外すことにより、商品券等の取引に関わる券を収納するための券収納部（図示せず）が出現する。
【００１５】
マネーケース１０５の奥側（図２中右上側）には、紙幣を金種別に収納するための紙幣収納部１５１が設けられている。紙幣収納部１５１は、複数の仕切板１１１によって仕切られている。上面開口して形成された紙幣収納部１５１は、引出方向に沿って長い底面を有している。紙幣収納部１５１は、収納した紙幣をその底面上に支持する。そのため、底面は、収納する紙幣よりも大きな矩形形状を有している。
【００１６】
紙幣収納部１５１の奥側には、所定長さの奥行きを有する薄型矩形形状のコインテスタ収納部２０１がマネーケース１０５と一体に設けられている。コインテスタ収納部２０１には、共に薄型矩形の第２のコインテスタ２２１と第１のコインテスタ２１１とが、いわゆる入れ子状に収納されている。詳細については後述する。
【００１７】
コインテスタ収納部２０１の下面には、いわゆる跳ね上げ式の札押え１１５が取り付けられている。跳ね上げ式の札押え１１５の構造については、その内容が周知なので、説明を省略する。札押え１１５は、紙幣収納部１５１に収納された紙幣を上面から押え付けることで紙幣の位置ズレ等を防止する。
【００１８】
コインテスタ収納部２０１は、手前側に開口部２０２を有し、第１のコインテスタ２１１が開口部２０２から引出自在に収納されている。このとき、図２に示すように、第１のコインテスタ２１１はコインテスタ収納部２０１から手前側の先端を突出させて収納されている。第１のコインテスタ２１１も同様に、手前側に開口部２１２を有し、板状部材である第２のコインテスタ２２１が開口部２１２から引出自在に収納されている。このとき、図２に示すように、第２のコインテスタ２２１も第１のコインテスタ２１１から手前側の先端を突出させて収納されている。図２は、第１のコインテスタ２１１と第２のコインテスタ２２１とが共に収納された状態を示している。
【００１９】
図３は、コインテスタ収納部２０１から第１のコインテスタ２１１が引き出された状態を示す斜視図である。第１のコインテスタ２１１は、コインテスタ収納部２０１から一定距離引き出されると、後述する第１の抜止機構２６１（図５参照）によって抜け止めされる。図３に示すように、コインテスタ収納部２０１から引き出されて抜け止めされた第１のコインテスタ２１１は、紙幣収納部１５１の奥側半分を覆い隠す。
【００２０】
図３に示すように、第１のコインテスタ２１１の先端における上面中央位置には、凹状の窪みである第１の窪み２１３が設けられている。第１の窪み２１３は、第１のコインテスタ２１１がコインテスタ収納部２０１に収納された状態であっても、コインテスタ収納部２０１に収納されない位置に設けられている（図２参照）。したがって、第１の窪み２１３に指を差し込んで手前側に引く動作をすることによって、第１のコインテスタ２１１を引き出すことができる。なお、第１の窪み２１３に代えて、第１のコインテスタ２１１を貫通する孔が設けられていても良い。
【００２１】
図４は、コインテスタ収納部２０１から引き出された第１のコインテスタ２１１からさらに第２のコインテスタ２２１が引き出された状態を示す斜視図である。第２のコインテスタ２２１は、第１のコインテスタ２１１から一定距離引き出されると、後述する第２の抜止機構２６２（図５参照）によって抜け止めされる。ここで、本実施の形態では、第１のコインテスタ２１１及び第２のコインテスタ２２１は、紙幣収納部１５１及び硬貨収納部１０９の全幅に亘る幅長を有している。そして、本実施の形態では、引き出されて抜け止めされた第２のコインテスタ２２１の手前側の先端は、コインケース１０８の硬貨収納部１０９まで延出する。したがって、図４に示すように、第１のコインテスタ２１１から引き出されて抜け止めされた第２のコインテスタ２２１は、この第１のコインテスタ２１１と共に、紙幣収納部１５１を覆い隠す。なお、引き出された第２のコインテスタ２２１は、図４では図示しないロック機構２８１（図５参照）によって位置保持させることが可能となっている。
【００２２】
図４に示すように、第２のコインテスタ２２１の先端における上面中央位置には、凹状の窪みである第２の窪み２２３が設けられている。第２の窪み２２３は、第２のコインテスタ２２１が第１のコインテスタ２１１に収納された状態であっても、第１のコインテスタ２１１に収納されない位置に設けられている（図２参照）。したがって、第２の窪み２２３に指を差し込んで手前側に引く動作をすることによって、第２のコインテスタ２２１を引き出すことができる。なお、第２の窪み２２３に代えて、第２のコインテスタ２２１を貫通する孔が設けられていても良い。
【００２３】
第１の窪み２１３及び第２の窪み２２３（これらに代えて設けられる孔も含む）が形成する径は、一例として、硬貨収納部１０９に収納される硬貨の中で最も径の小さい硬貨（例えば１円硬貨）よりも小さい径とする。これにより第１の窪み２１３等に硬貨が落ち込むことを防止する。
【００２４】
図５は、マネーケース１０５を模式的に示す平面図である。図５（ａ）は、図２に示したように、第１のコインテスタ２１１と第２のコインテスタ２２１とが共に収納された状態を示している。また、図５（ｂ）は、図４に示したように、第１のコインテスタ２１１と第２のコインテスタ２２１とが共に引き出された状態を示している。
【００２５】
第１の抜止機構２６１は、コインテスタ収納部２０１に両側の内壁に設けられた第１の凸部２６１ａと、第１のコインテスタ２１１の両側の外壁に設けられた長尺の第１の溝部２６１ｂとを構成要素として有する。第１の溝部２６１ｂには第１の凸部２６１ａが嵌まり込んでいる。図５（ａ）に示すように、第１のコインテスタ２１１がコインテスタ収納部２０１に収納された状態では、第１の凸部２６１ａは第１の溝部２６１ｂにおける手前側（図５中下側）の位置に位置付けられている。第１のコインテスタ２１１がコインテスタ収納部２０１から引き出されると、第１の凸部２６１ａは、第１の溝部２６１ｂにおける奥側（図５中下側）に相対的に移動して、図５（ｂ）に示すように、第１の溝部２６１ｂの奥側の内壁に当接する。このようにして、第１の抜止機構２６１による第１のコインテスタ２１１の抜け止めが実現される。
【００２６】
第２の抜止機構２６２は、第１のコインテスタ２１１に両側の内壁に設けられた第２の凸部２６２ａと、第２のコインテスタ２２１の両側の外壁に設けられた長尺の第２の溝部２６２ｂとを構成要素として有する。第２の溝部２６２ｂには第２の凸部２６２ａが嵌まり込んでいる。図５（ａ）に示すように、第２のコインテスタ２２１が第１のコインテスタ２１１に収納された状態では、第２の凸部２６２ａは第２の溝部２６２ｂにおける手前側の位置に位置付けられている。第２のコインテスタ２２１が第１のコインテスタ２１１から引き出されると、第２の凸部２６２ａは、第２の溝部２６２ｂにおける奥側に相対的に移動して、図５（ｂ）に示すように、第２の溝部２６２ｂの奥側の内壁に当接する。このようにして、第２の抜止機構２６２による第２のコインテスタ２２１の抜け止めが実現される。
【００２７】
次に、図５（ｂ）に基づいてロック機構２８１について説明する。マネーケース１０５には、引き出された第２のコインテスタ２２１の先端の両側位置に位置させて、ロック機構２８１を構成するツメ部２８１ａが回動自在に設けられている。ツメ部２８１ａは、第２のコインテスタ２２１の両側に設けられた第２の溝部２６２ｂに嵌まり込む形状を有している。ツメ部２８１ａは図示しないトーションバネによってマネーケース１０５の内側に向けて付勢されている。第２のコインテスタ２２１を引き出して硬貨収納部１０９まで延出させた状態で、その第２のコインテスタ２２１の第２の溝部２６２ｂの手前側の内壁にツメ部２８１ａを引っ掛ける。これにより、第２のコインテスタ２２１は第１のコインテスタ２１１に収納される方向への移動が規制されて位置保持される。したがって、ツメ部２８１ａと第２の溝部２６２ｂとは、ロック機構２８１を構成する。ロック機構２８１による位置保持は、ツメ部２８１ａを第２のコインテスタ２２１から離反させる方向に回動させることによって、容易に解除される。
【００２８】
図６は、引出し１０４がドロワ筐体１０２から引き出された状態のドロワ１０１を示す斜視図である。図６中、第１のコインテスタ２１１及び第２のコインテスタ２２１は、共に引き出されている。また、第２のコインテスタ２２１は、図６中では図示しないロック機構２８１によって位置保持されている。
【００２９】
ところで、ＥＣＲ３０１の上面にはキーボード３０２（図１参照）が設けられている。ＥＣＲ３０１を使用するキャッシャによって、キーボード３０２に含まれる仮締めキーが取引中に押下されると、ＥＣＲ３０１はドロワ１０１を駆動制御して引出し１０４を開放させる。これにより、引出し１０４は、図６に示すようにドロワ筐体１０２から引き出された状態となる。
【００３０】
このとき、第１のコインテスタ２１１及び第２のコインテスタ２２１は共に引き出されて、第２のコインテスタ２２１は硬貨収納部１０９まで延出しているので、キャッシャは取引中に顧客から預かった硬貨Ｃを、第１のコインテスタ２１１又は第２のコインテスタ２２１の上面に載置させることができる。ここで、第１のコインテスタ２１１及び第２のコインテスタ２２１は、マネーケース１０５の全幅に亘って紙幣収納部１５１（図２参照）を覆い隠すものであるから、紙幣収納部１５１に誤って落下させることなく、また、充分な載置面に硬貨Ｃを重ねずに広げて載置させることができる。
【００３１】
例えば、図６に示すように、顧客から預かった複数枚の硬貨Ｃを、まず、第１のコインテスタ２１１の上面に広げて載置させてその金種を確認する。確認後、第１のコインテスタ２１１に載置された硬貨Ｃを指で１枚ずつ第２のコインテスタ２２１に落として移動させ、対応する金種の硬貨収納部１０９へと落下させる。こうして、本実施の形態によれば、顧客から預かった硬貨Ｃについて、金種や枚数を素早く確認することができ、正確に硬貨収納部１０９に収納することができる。
【００３２】
また、本実施の形態によれば、第１のコインテスタ２１１及び第２のコインテスタ２２１は、引き出されて紙幣収納部１５１を覆い隠すので、紙幣収納部１５１に収納された紙幣を顧客の目に触れさせることを防止することができ、防犯上の効果も期待できる。
【００３３】
なお、本実施の形態では、コインテスタ収納部２０１に第２のコインテスタ２２１と第１のコインテスタ２１１とが入れ子状に収納された例を示したが、３以上のコインテスタが入れ子状に収納されていても良い。また、硬貨収納部１０９まで延出することができれば、１のコインテスタのみがコインテスタ収納部２０１に引出自在に収納されていても良い。
【図面の簡単な説明】
【００３４】
【図１】ドロワをＥＣＲと共に示す斜視図である。
【図２】引出しを示す分解斜視図である。
【図３】コインテスタ収納部から第１のコインテスタが引き出された状態を示す斜視図である。
【図４】コインテスタ収納部から引き出された第１のコインテスタからさらに第２のコインテスタが引き出された状態を示す斜視図である。
【図５】マネーケースを模式的に示す平面図である。
【図６】引出しがドロワ筐体から引き出された状態のドロワを示す斜視図である。
【符号の説明】
【００３５】
１０１…ドロワ，１０２…ドロワ筐体，１０４…引出し，１０５…マネーケース，１０９…硬貨収納部，１５１…紙幣収納部，２０１…コインテスタ収納部，２０２…開口部，２１１…第１のコインテスタ（コインテスタ），２１３…第１の窪み（窪み），２２１…第２のコインテスタ（コインテスタ），２２３…第２の窪み（窪み），２８１…ロック機構
【図１】
2010039762.tif 000003
【図２】
2010039762.tif 000004
【図３】
2010039762.tif 000005
【図４】
2010039762.tif 000006
【図５】
2010039762.tif 000007
【図６】
2010039762.tif 000008